(57)【特許請求の範囲】
【請求項１】
遮断器ケースの開口部に突出する操作ハンドルをオン位置又はオフ位置に拘束させる前記操作ハンドルの把手部に装着される回路遮断器のハンドルロック装置において、
前記開口部内に位置し前記操作ハンドルを拘束させるロック部と、前記把手部に係合し前記ハンドルロック装置を前記把手部の所定位置に位置決めさせる係合部と、
前記ハンドルロック装置を前記把手部に固定保持させる固定保持手段とを備え、
前記ロック部、前記係合部及び前記固定保持手段が一体的に形成され、前記固定保持手段はモールドベースに配設された固定保持穴とモールドカバーに配設された固定保持凸部で形成され、前記モールドベースと前記モールドカバーは連結部で連結されるものとし、ロック部を前記開口部内に位置させながら前記係合部を前記把手部に係合させた後、前記連結部を折り曲げ、前記固定保持穴に前記固定保持凸部を嵌着させることにより前記把手部に保持することを特徴とする回路遮断器のハンドルロック装置。
【請求項２】
係合部は把手部に穿設されたハンドル穴に嵌挿されるようにハンドルロック装置の前記把手部と当接する面に凸設されることを特徴とする請求項１に記載の回路遮断器のハンドルロック装置。
【請求項３】
固定保持凸部はフック部を有し、固定保持穴に前記固定保持凸部を嵌挿した後、モールドカバーの押圧面をモールドベースの受圧面に圧接させると、前記フック部が前記固定保持穴と前記モールドベースの背面が交わる角部に係合することを特徴とする請求項１に記載の回路遮断器のハンドルロック装置。
【請求項４】
固定保持凸部に錠装着部を備え、該錠装着部に錠を装着するとハンドルロック装置が把手部から容易に離脱できない様にしたことを特徴とする請求項３に記載の回路遮断器のハンドルロック装置。
【請求項５】
ロック部にＵ字溝を配設することにより、状態表示記号が外観から見えるようにしたことを特徴とする請求項１から請求項４のいずれか１項に記載の回路遮断器のハンドルロック装置。
【請求項６】
熱可塑性樹脂材料により一体的に形成されたことを特徴とする請求項１から請求項５のいずれか１項に記載の回路遮断器のハンドルロック装置。
【発明の詳細な説明】
【０００１】
【発明の属する技術分野】
本発明は、回路遮断器の操作ハンドルをオン位置又はオフ位置に拘束させるハンドルロック装置に関する。
【０００２】
【従来の技術】
図９および図１０は、例えば特開平１０−２４１５４１号公報に示された従来の回路遮断器のハンドルロック装置である。図９はハンドルロック装置を回路遮断器に装着する前の状態を示す斜視図、図１０はハンドルロック装置を回路遮断器に装着した状態を示す斜視図である。
【０００３】
遮断器ケース１には操作ハンドル２が装着され、この操作ハンドル２は遮断器ケース１内に位置するベース部２ａと、遮断器ケース１の開口部１ａを通して突出する把手部２ｂにより構成されており、操作ハンドル２をオン位置又はオフ位置へ回動操作すると、遮断器ケース１内に組込まれた主回路（図示しない）が閉路又は開路される。
【０００４】
ロックカバー３は、キャップ部３ａとロック部３ｂとを有しており、操作ハンドル２をオン位置又はオフ位置に回動操作した後、キャップ部３ａを把手部２ｂに、ロック部３ｂを開口部１ａ内に位置するように嵌合させると、操作ハンドル２の回動操作ができなくなり、操作ハンドル２はオン位置又はオフ位置に固定される。
【０００５】
更に、ロックカバー３にはピン挿入孔３ｃおよび錠挿入孔３ｄが配設されており、ピン挿入孔３ｃを通して把手部２ｂの貫通孔２ｃにピン４を挿入した後、錠挿入孔３ｄに南京錠５のフック部５ａを挿入して施錠すると、ピン４が南京錠５により抜止めされるので、ロックカバー３は容易に取外すことが出来なくなる。６は状態表示記号で、ベース部２ａの表面に刻印又は印刷されており、操作ハンドル２のオン位置、オフ位置を表示する記号であり、オン位置であればＩ、オフ位置であればＯが表示される。
【０００６】
【発明が解決しようとする課題】
従来のハンドルロック装置は以上のように構成されており、把手部２ｂの外郭にキャップ部３ａを覆って嵌合させ、ピン４を差込むことによりロックカバー３を操作ハンドル２に固定していたが、把手部２ｂの外郭寸法とキャップ部３ａの嵌合部分の寸法との間に寸法差があり、ロックカバー３を操作ハンドル２にタイトに固定することができないという問題があった。
【０００７】
また、ロックカバー３を装着すると、操作ハンドル２のベース部２ａの表面上に表示されているオン、オフ位置を示す状態表示記号６がロック部３ｂにより隠れてしまうため、操作ハンドル２のオン、オフ位置が外観からは確認できないという問題があった。
【０００８】
この発明は、上述のような問題点を解決するためになされたもので、簡素な構成でタイトにロックカバーを操作ハンドルに固定すると共に、操作ハンドルのオン位置、オフ位置が外観から確認できる回路遮断器のハンドルロック装置を得ることを目的としている。
【０００９】
【課題を解決するための手段】
（１）この発明に係るハンドルロック装置は、遮断器ケースの開口部に突出する操作ハンドルをオン位置又はオフ位置に拘束させる前記操作ハンドルの把手部に装着される回路遮断器のハンドルロック装置において、前記開口部内に位置し前記操作ハンドルを拘束させるロック部と、前記把手部に係合し前記ハンドルロック装置を前記把手部の所定位置に位置決めさせる係合部と、前記ハンドルロック装置を前記把手部に固定保持させる固定保持手段とを備え、前記ロック部、前記係合部及び前記固定保持手段を一体的に形成したものである。
【００１０】
（２）また、（１）において、係合部が把手部に穿設されたハンドル穴に嵌挿されるようにハンドルロック装置の前記把手部と当接する面に凸設されるようにしたものである。
【００１１】
（３）また、（１）において、固定保持手段がモールドベースに配設された固定保持穴とモールドカバーに配設された固定保持凸部で形成され、前記モールドベースと前記モールドカバーは連結部で連結されるものとし、ロック部を開口部内に位置させながら係合部を把手部に係合させた後、前記連結部を折り曲げ、前記固定保持穴に前記固定保持凸部を嵌着させることにより前記把手部に保持されるようにしたものである。
【００１２】
（４）また、（３）において、固定保持凸部がフック部を有し、固定保持穴に前記固定保持凸部を嵌挿した後、モールドカバーの押圧面を前記モールドベースの受圧面に圧接させると、前記フック部が前記固定保持穴と前記モールドベースの背面が交わる角部に係合するようにしたものである。
【００１３】
（５）また、（３）又は（４）において、固定保持凸部に錠装着部を備え、該錠装着部に錠を装着するとハンドルロック装置が把手部から容易に離脱できない様にしたものである。
【００１４】
（６）また、（１）から（５）において、ロック部にＵ字溝を配設することにより、状態表示記号が外観から見えるようにしたものである。
【００１５】
（７）また、（１）から（６）において、熱可塑性樹脂成形品により一体的に形成されるものである。
【００１６】
【発明の実施の形態】
実施の形態１．
図１はこの発明の実施の形態１におけるハンドルロック装置を回路遮断器に装着する前の状態を示す斜視図であり、（ａ）はハンドルロック装置の展開斜視図、（ｂ）は回路遮断器の斜視図である。
【００１７】
図１の（ｂ）において、２０は操作ハンドルで、操作ハンドル２０は遮断器ケース１の開口部１ａ内に位置するベース部２１、遮断器ケース１の開口部１ａを通して突出する把手部２２及び把手部２２に配設されたハンドル穴２２ａにより形成されている。６はベース部２１の表面に刻印又は印刷された状態表示記号で、操作ハンドル２０がオン位置の時、Ｉを示し、オフ位置の時、Ｏを示す。
【００１８】
図１の（ａ）において、３０は例えば、ＰＢＴ（ポリブチレンテレフタート）、ＰＥＴ（ポリエチレンテレフタート）等の熱可塑性樹脂材料により一体的に形成されたハンドルロック装置である。
【００１９】
ハンドルロック装置３０はモールドベース３１、モールドカバー３２、モールドベース３１の表面である受圧面３１ａ、モールドベース３１の裏面である背面３１ｂ、操作ハンドル２０をロックさせるためのロック部３３、ロック部３３の中央部に配設されたＵ字溝３３ａ、受圧面３１ａから垂直に凸設した係合部３４、受圧面３１ａに穿設された固定保持穴３１ｃ、折り曲げができるように薄肉形状で形成され、モールドベース３１とモールドカバー３２を連結させる連結部３５、モールドカバー３２の表面である押圧面３２ａ、押圧面３２ａから垂直に凸設した２個の固定保持凸部３６により形成されており、固定保持凸部３６にはのこぎり刃形状に凸設したフック部３６ａが配設されている。
【００２０】
図２はこの発明の実施の形態１におけるハンドルロック装置を回路遮断器に装着する途中の状態を示す斜視図である。図３はこの発明の実施の形態１におけるハンドルロック装置を回路遮断器に装着した状態を示す斜視図である。図４は図３のＡ方向から見た時の斜視図で（ａ）は操作ハンドル２０がオフ位置でハンドルロック装置３０によりロックされた場合、（ｂ）は操作ハンドル２０がオン位置でハンドルロック装置３０によりロックされた場合である。
【００２１】
次に、図１から図４を用いて、ハンドルロック装置３０を回路遮断器の操作ハンドル２０に装着する方法について説明する。
（１）ロック部３３を開口部１ａ内のベース部２１上に位置させながら、係合部３４を把手部２２に配設されたハンドル穴２２ａに係合させる。（図２）
（２）連結部３５を折り曲げ、固定保持凸部３６を固定保持穴３１ｃに嵌挿する。
（３）モールドカバー３２の押圧面３２ａをモールドベース３１の受圧面３１ａに圧接させる。この時、固定保持凸部３６のフック部３６ａが固定保持穴３１ｃと背面３１ｂが交わる角部３１ｄに係合し、モールドベース３１とモールドカバー３２は密着した状態で保持される。（図３、図４）
【００２２】
以上のように構成されたハンドルロック装置３０は、簡素で安価な構成でハンドルロック装置３０を操作ハンドル２０の把手部２２にタイトに保持させることができると共に、回路遮断器の操作ハンドル２０をオン位置又はオフ位置に拘束させることができる。
また、ロック部３３にＵ字溝３３ａを配設したので操作ハンドル２０にハンドルロック装置が装着された後も、ベース部２１の表面に表示された状態表示記号６が外観から見えるので、操作ハンドル２０のオン、オフ位置を確認することができる。
【００２３】
なお、上記説明ではロック部３３及び係合部３４をモールドベース３１に配設したが、モールドカバー３２の相当部分に配設しても良く、係合部３４及び係合部３４が嵌挿されるハンドル穴２２ａを複数個で形成させれば、ハンドルロック装置３０を操作ハンドル２０の把手部２２に更に、タイトに保持させることができる。
【００２４】
実施の形態２．
図５はこの発明の実施の形態２におけるハンドルロック装置を回路遮断器に装着する前の状態を示す斜視図であり、（ａ）はハンドルロック装置の展開斜視図、（ｂ）は回路遮断器の斜視図である。
【００２５】
図５の（ｂ）において、４０は操作ハンドルで、操作ハンドル４０は遮断器ケース１の開口部１ａ内に位置するベース部４１、遮断器ケース１の開口部１ａを通して突出する把手部４２、把手部４２に後述の連結棒を嵌挿するために既設されたハンドル穴４２ａ及び把手側面部４２ｂにより形成されている。６０はベース部４１の表面に刻印又は印刷された状態表示記号で、操作ハンドル４０がオン位置の時、Ｉを示し、オフ位置の時、Ｏを示す。
【００２６】
図５の（ａ）において、５０は例えば、ＰＢＴ（ポリブチレンテレフタート）、ＰＥＴ（ポリエチレンテレフタート）等の熱可塑性樹脂材料により一体的に形成されたハンドルロック装置である。
【００２７】
ハンドルロック装置５０はモールドベース５１、モールドカバー５２、モールドベース５１の表面である受圧面５１ａ、モールドベース５１の裏面である背面５１ｂ、操作ハンドル４０をロックさせるためのロック部５３、ロック部５３の中央部に配設されたＵ字溝５３ａ、受圧面５１ａから垂直に凸設したＬ形形状の係合部５４、受圧面５１ａに穿設された固定保持穴５１ｃ、折り曲げができるように薄肉形状で形成されモールドベース５１とモールドカバー５２を連結させる連結部５５、モールドカバー５２の表面である押圧面５２ａ、押圧面５２ａから垂直に凸設し、Ｕ字形状を成す固定保持凸部５６、及び抜け止め部５７により形成されており、固定保持凸部５６にはのこぎり刃形状に凸設したフック部５６ａ及び錠装着部５６ｂが配設されている。
【００２８】
図６はこの発明の実施の形態２におけるハンドルロック装置を回路遮断器に装着する途中の状態を示す斜視図、図７はこの発明の実施の形態２におけるハンドルロック装置及び南京錠を回路遮断器に装着した状態を示す斜視図である。次に、図５から図７を用いて、ハンドルロック装置５０を回路遮断器の操作ハンドル４０に装着する方法について説明する。
【００２９】
（１）ロック部５３を開口部１ａ内のベース部４１上に位置させながら、係合部５４を図６に示す矢印の方向に把手部４２に配設されたハンドル穴４２ａに嵌挿し、係合させる。
（２）連結部５５を折り曲げ、固定保持凸部５６を固定保持穴５１ｃに嵌挿する。
（３）モールドカバー５２の押圧面５２ａをモールドベース５１の受圧面５１ａに圧接させる。この時、固定保持凸部５６のフック部５６ａが固定保持穴５１ｃと背面５１ｂが交わる角部（図示しない）に係合すると共に、抜け止め部５７が把手側面部４２ｂに当接し、モールドベース５１とモールドカバー５２は密着した状態で保持される。（図７）
（４）錠装着部５６ｂに南京錠５を装着する。
【００３０】
以上のように構成されたハンドルロック装置５０は、一体的に形成されているので、簡素で安価な構成でハンドルロック装置５０を操作ハンドル４０の把手部４２にタイトに保持させることができると共に、回路遮断器の操作ハンドル４０をオン位置又はオフ位置に拘束することができる。
また、操作ハンドル４０にハンドルロック装置５０が装着された後も、ベース部４１の表面に表示された状態表示記号６０が外観から見えるので、操作ハンドル４０のオン、オフ位置を確認することができる。
さらに、南京錠５を装着することにより、ハンドルロック装置５０の取り外しが容易には出来なくなるので、操作ハンドル４０を不必要に操作できないようにすることができる。
【００３１】
実施の形態３．
図８はこの発明の実施の形態３におけるハンドルロック装置を多極回路遮断器に装着した状態を示す斜視図であり、実施の形態２により形成されたハンドルロック装置５０を装着した回路遮断器の把手部４２に配設されたハンドル穴４２ａと、隣接して配置した回路遮断器のハンドル穴４２ａとの間に連結棒８０を嵌挿し、操作ハンドル４０の把手部４２を連結することにより、多極回路遮断器（図８は４極の場合を示す）において、１個のハンドルロック装置５０を装着するだけで、４極同時に操作ハンドル４０をオン位置又はオフ位置に拘束させることができる。
【００３２】
【発明の効果】
（１）以上のように、請求項１の発明によれば、ハンドルロック装置が一体的に形成されているので、簡素で安価な構成で、回路遮断器の操作ハンドルをオン位置又はオフ位置に拘束させることができる。
【００３３】
（２）請求項２の発明によれば、既設されたハンドル穴を利用してハンドルロック装置を操作ハンドルの把手部の所定位置に位置決めさせることができる。
【００３４】
（３）請求項３の発明によれば、モールドベースとモールドカバーにより操作ハンドルの把手部を両側から挟着するようにしたので、ハンドルロック装置を操作ハンドルにタイトに保持させることができる。
【００３５】
（４）請求項４の発明によれば、固定保持穴に固定保持凸部を嵌挿した後、モールドカバーの押圧面をモールドベースの受圧面に圧接させることにより、フック部が固定保持穴とモールドベースの背面が交わる角部に係合し、モールドベースとモールドカバーを密着した状態で保持させることができる。
【００３６】
（５）請求項５の発明によれば、錠の装着が可能でかつ、錠の装着方向が自由なので装着が容易で、ハンドルロック装置を回路遮断器の操作ハンドルから容易に離脱させることができなくすることができる。
【００３７】
（６）請求項６の発明によれば、操作ハンドルにハンドルロック装置が装着された後も、状態表示記号を外観から見ることができるので、操作ハンドルのオン、オフ位置を確認することができる。
【００３８】
（７）請求項７の発明によれば、変形させ易い材料で形成させたので、容易に操作ハンドルをハンドルロック装置に装着することができる。
【図面の簡単な説明】
【図１】  この発明の実施の形態１におけるハンドルロック装置を回路遮断器に装着する前の状態を示す斜視図である。
【図２】  この発明の実施の形態１におけるハンドルロック装置を回路遮断器に装着する途中の状態を示す斜視図である。
【図３】  この発明の実施の形態１におけるハンドルロック装置を回路遮断器に装着した状態を示す斜視図である。
【図４】  図３のＡ方向から見た時の斜視図である。
【図５】  この発明の実施の形態２におけるハンドルロック装置を回路遮断器に装着する前の状態を示す斜視図である。
【図６】  この発明の実施の形態２におけるハンドルロック装置を回路遮断器に装着する途中の状態を示す斜視図である。
【図７】  この発明の実施の形態２におけるハンドルロック装置及び南京錠を回路遮断器に装着した状態を示す斜視図である。
【図８】  この発明の実施の形態３におけるハンドルロック装置を多極回路遮断器に装着した状態を示す斜視図である。
【図９】  従来のハンドルロック装置を回路遮断器に装着する前の状態を示す斜視図である。
【図１０】  従来のハンドルロック装置を回路遮断器に装着した状態を示す斜視図である。
【符号の説明】
１  遮断器ケース、            １a  開口部、              ５  南京錠、
６，６０  状態表示記号、            ２０，４０  操作ハンドル、
２１，４１  ベース部、              ２２，４２  把手部、
２２ａ，４２ａ  ハンドル穴、    ３０，５０  ハンドルロック装置、
３１，５１  モールドベース、        ３１ａ，５１ａ  受圧面、
３１ｂ，５１ｂ  背面、        ３１ｃ，５１ｃ  固定保持穴（固定保持手段）、
３１ｄ  角部、  ３２，５２  モールドカバー、  ３２ａ，５２ａ  押圧面、
３３，５３  ロック部、              ３３ａ，５３ａ  Ｕ字溝、
３４，５４  係合部、            ３５，５５  連結部、
３６，５６  固定保持凸部（固定保持手段）、  ３６ａ，５６ａ  フック部、
４２ｂ  把手側面部、                ５６ｂ  錠装着部、
５７  抜け止め部、                  ８０  連結棒。
【図１】
0003807170.tif 000002
【図２】
0003807170.tif 000003
【図３】
0003807170.tif 000004
【図４】
0003807170.tif 000005
【図５】
0003807170.tif 000006
【図６】
0003807170.tif 000007
【図７】
0003807170.tif 000008
【図８】
0003807170.tif 000009
【図９】
0003807170.tif 000010
【図１０】
0003807170.tif 000011